(57)【要約】【課題】人体検知センサーを設けるのに際して、便蓋の意匠性を損なうことのないトイレ装置を提供することを目的とする。【解決手段】便器８上に載置された本体１と、本体１と回動自在に枢着してなる便蓋３及び便座２と、人体を検知する人体検知センサー７を内蔵したセンサーユニット４を有し、センサーユニット４を便蓋３及び便座２より外側に取り付けたことにより、便蓋３の意匠性を損なうことがない。【選択図】　図１
2004097441.tif 000002
【特許請求の範囲】
【請求項１】
便器上に載置された本体と、前記本体と回動自在に枢着してなる便蓋及び便座と、前記本体と別体に設けた人体検知センサーを内蔵したセンサーユニットからなり、前記センサーユニットを前記便蓋及び便座より外側に形成したトイレ装置。
【請求項２】
センサーユニットは、人体検知センサーが便座の回動軸より前方かつ前記便座の座面よりも下に位置するように設けた請求項１記載のトイレ装置。
【請求項３】
人体検知センサーは、赤外線の発光部と受光部を有する測距式であり、前記発光部から放射された赤外線が便座及び便蓋に接しないように配設したことを特徴とする請求項１または２記載のトイレ装置。
【請求項４】
人体検知センサーの検知距離を変更可能とした請求項３記載のトイレ装置。
【請求項５】
人体検知センサーの検知方向を任意に変更可能とした請求項３または４記載のトイレ装置。
【請求項６】
センサーユニットは、本体の右側面もしくは左側面に取り付け可能に構成した請求項１から５のいずれか１項に記載のトイレ装置。
【請求項７】
便蓋を開閉するための便蓋開閉装置を有し、人体検知センサーの検知信号により前記便蓋を自動的に開閉する請求項１から６のいずれか１項に記載のトイレ装置。
【請求項８】
センサーユニット内に部屋暖房装置を内装し、人体検知センサーの信号により前記部屋暖房装置を付勢するようにした請求項１から７のいずれか１項に記載のトイレ装置。
【請求項９】
人体検知センサーを保護するフィルターに前記人体検知センサーを固定するようにした請求項１から８のいずれか１項に記載のトイレ装置。
【請求項１０】
便蓋は、閉じた際に便座および本体の略全体を覆うように構成したことを特徴とする請求項１から９のいずれか１項に記載のトイレ装置。
【発明の詳細な説明】
【０００１】
【発明の属する技術分野】
本発明は、トイレ室内の人の有無を検出する人体検知センサーを有するトイレ装置に関するものである。
【０００２】
【従来の技術】
従来この種のトイレ装置は、図１０に示されているようなものであった（例えば特許文献１参照）。
【０００３】
図１０において、本体１と、本体１に回動自在に接続された便座２と便蓋３から構成され、本体１内に制御回路（図示せず）と便蓋３の開閉装置（図示せず）と人体検知のためのセンサーユニット４を設け、便蓋３及び便座２にはセンサーユニット４から投受光される赤外線が通過できるように開口部５を設けた構成からなり、センサーユニット４が人体の存在を検知すると、制御回路に信号を送り、便蓋３の開閉装置を動作させて便蓋３を自動的に開き、センサーユニット４が人がいないことを検知すると、制御回路に信号を送り、開閉装置が作動して便蓋３を自動的に閉じるようになっていた。
【０００４】
【特許文献１】
特開２００１−２９９６４４公報（第３図）
【０００５】
【発明が解決しようとする課題】
しかしながら、前記従来のトイレ装置では、人体検知センサーユニット４を本体１内に設けるために、便蓋３に開口部５が必要となり、便蓋３の意匠性を損なうという課題があった。
【０００６】
本発明は、前記従来の課題を解決するもので、人体検知センサーを設けるのに際して、便蓋の意匠性を損なうことのないトイレ装置を提供することを目的とする。
【０００７】
【課題を解決するための手段】
前記従来の課題を解決するために、本発明のトイレ装置は、便器上に載置された本体と、前記本体と回動自在に枢着してなる便蓋及び便座と、前記本体と別体に設けた人体検知センサーを内蔵したセンサーユニットからなり、前記センサーユニットを前記便蓋及び便座より外側に形成したトイレ装置に形成したものである。
【０００８】
上記構成により、便蓋の意匠を損なうことなく人体検知を行うことが出来る。
【０００９】
【発明の実施の形態】
請求項１に記載の発明は、便器上に載置された本体と、前記本体と回動自在に枢着してなる便蓋及び便座と、前記本体と別体に設けた人体検知センサーを内蔵したセンサーユニットからなり、前記センサーユニットを前記便蓋及び便座より外側に形成したことにより、便蓋の意匠性を損なうことなく人体検知センサーを設けることができる。
【００１０】
請求項２に記載の発明は、センサーユニットを、人体検知センサーが便座の回動軸より前方かつ前記便座の座面よりも下に位置するように設けたもので、便座の座面よりも下部にセンサーユニットが位置することになり、使用者の着座時にセンサーユニットが邪魔になることがない。
【００１１】
請求項３に記載の発明は、人体検知センサーを、赤外線の発光部と受光部を有する測距式とし、前記発光部から放射された赤外線が便座及び便蓋に接しないように配設したことにより、人体検知センサーが便座を使用者と誤検知することを防止できる。
【００１２】
請求項４に記載の発明は、検知距離を変更可能としたことにより、トイレ空間のサイズに関わらず確実に人体検知を行うことが出来、狭いトイレにおいて壁やドアを使用者と誤検知することを防止できる。
【００１３】
請求項５に記載の発明は、人体検知センサーの検知方向を任意に変更可能としたことにより、トイレのドア位置に応じて人体検知センサーの方向を変更でき、トイレのドア位置にかかわらず確実に人体検知を行うことが出来る。
【００１４】
請求項６に記載の発明は、センサーユニットは、本体の右側面もしくは左側面に取り付け可能に構成したことにより、トイレのドア位置に応じて人体検知センサーの位置を変更できるので、トイレのドア位置がどの方向でも確実な人体検知を行うことが出来る。
【００１５】
請求項７に記載の発明は、便蓋を開閉するための便蓋開閉装置を有し、人体検知センサーの検知信号により前記便蓋を自動的に開閉するもので、人体検知により自動的に便蓋が開閉できるので手で便蓋を開閉する必要が無く、利便性が向上する。
【００１６】
請求項８に記載の発明は、センサーユニット内に部屋暖房装置を内装し、人体検知センサーの信号により前記部屋暖房装置を付勢するようにしたことにより、使用者の有無により部屋暖房運転の切換えが可能となり、部屋暖房の快適性及び省エネ性を良くすることができる。
【００１７】
請求項９に記載の発明は、人体検知センサーを保護するフィルターに前記人体検知センサーを固定するようにしたことにより、組立バラツキによる人体検知センサーの傾き角度のズレ防止が可能となり、検知精度を向上することができる。
【００１８】
請求項１０に記載の発明は、便蓋を、閉じた際に便座および本体の略全体を覆うように構成したもので、人体検知センサーを本体に内蔵しないので便蓋形状に制約を受けることがなく、便座及び本体の全体を覆うような便蓋を採用することが出来、意匠性が向上すると共に、便蓋で全体を覆っているので便座と本体との隙間が露出せず塵や埃が隙間に入らないので掃除が楽になる。
【００１９】
【実施例】
以下、本発明の実施例について、図面を参照しながら説明する。なお、従来例と同一構成要素には、同一符号を付与する。
【００２０】
（実施例１）
図１は本発明の第１の実施例におけるトイレ装置の便蓋を開けた状態の斜視図、図２は便蓋を閉じた状態の斜視図である。
【００２１】
図１において、便器６上に載置された本体１と、本体１と回動自在に枢着してなる便蓋３及び便座２と、人体を検知するための人体検知センサー７を内蔵したセンサーユニット４を有し、センサーユニット４は便蓋３及び便座２より外側の本体１の側面に取り付けられている。更に、本体１内には、トイレ装置の機能を動作させるための制御回路８と便蓋３の開閉を行なうための便座開閉装置９を有し、人体検知センサー７と便座開閉装置９と制御回路８とは電気的に接続されている。
【００２２】
以上のように構成されたトイレ装置について、以下その動作、作用を説明する。使用者がトイレ装置に近づくと、人体検知センサー７が使用者の存在を検知してその信号を制御回路８に伝え、制御回路８から開閉装置９へ便蓋３を開ける信号を出力し、開閉装置９を介して便蓋３が開く。また、使用者がトイレ装置から遠ざかると、人体検知センサー７が使用者の非存在を検知してその信号を制御回路８に伝え、制御回路８から開閉装置９へ便蓋３を閉める信号を出力し、開閉装置９を介して便蓋３が閉じるようになっている。
【００２３】
以上のように、本実施例においては、人体検知センサー７を本体１内の制御回路８と分離独立させたことにより、便蓋の意匠性を損なうことなく人体検知センサーを設けることができる。
【００２４】
また、人体検知センサー７を便座２の回動軸１０より前方でかつ便座２の座面よりも下に位置するように取り付けているので、着座時に使用者がセンサーユニット４に接触することがなく、邪魔になることがない。
【００２５】
さらに、図２に示すように人体検知センサー７が本体１の側面にあるので、便蓋で便座と本体の略全体を覆うように構成することが可能となるので、意匠性が向上すると共に、便蓋で全体を覆っているので便座と本体との隙間が露出せず塵や埃が隙間に入らないので掃除が楽になる。
【００２６】
（実施例２）
図３は本発明の第２の実施例における人体検知センサーの正面図、図４は人体検知センサーから発光された赤外線と使用者との関係を示す平面図である。実施例１の構成と異なるところは、人体検知センサー７を赤外線の発光部１１ａと受光部１１ｂを有する測距式とし、発光部１１ａから発光される赤外線Ａの向きを、本体１上面側から見たときに本体１の中央方向へ傾けると共に、人体検知センサー７の発光部１１ａの一部にマスキング１２を施して発光部１１ａからの赤外線が便座２及び便蓋３に当たらないようにして、便座２又は便蓋３を使用者Ｂと誤検知しないようにしたところである。なお実施例１と同一符号のものは同一構造を有し、説明は省略する。
【００２７】
以上のように構成することにより、トイレ装置の正面にたった使用者Ｂをより検知しやすくすると共に、人体検知センサー７の発光部１１ａの一部にマスキング１２を施したことにより、便座２や便蓋３を使用者Ｂと誤検知することを防止できる。
【００２８】
（実施例３）
図５は本発明の第３の実施例におけるトイレ装置の斜視図である。実施例３の構成と異なるところは、測距式の人体検知センサー７の検知距離を変更可能としたところである。なお実施例１、２と同一符号のものは同一構造を有し、説明は省略する。
【００２９】
図において、１３はセンサーユニット４に設けた検知距離切換えスイッチであり、検知距離切換えスイッチ１３を押す毎に検知距離を変更できるようになっている。
【００３０】
以上のように、本実施例においては、検知距離を変更可能としたことにより、トイレ空間のサイズに応じて便蓋３の自動開閉位置を変更できることとなり、狭いトイレ空間で人体検知センサー７が常に使用者がいると判断して便蓋３の自動開閉機能が誤動作するということを防止できる。
【００３１】
（実施例４）
図６は本発明の第４の実施例におけるトイレ装置の斜視図である。実施例１〜３の構成と異なるところは、人体検知センサー７の方向を任意に変更可能としたところである。なお実施例１〜３と同一符号のものは同一構造を有し、説明は省略する。
【００３２】
図において、１４はセンサーユニット４に設けた人体検知センサー７の左右方向の向きを変えるための左右レバー、１５は人体検知センサー７の上下方向の向きを変えるための上下レバー１５であり、左右レバー１４及び上下レバー１５により、人体検知センサー７の方向を任意に変更できるようになっている。
【００３３】
以上のように、本実施例においては、人体検知センサー７の方向を任意に変更可能としたことにより、トイレのドア位置に応じて人体検知センサー７の方向を変更でき、トイレのドア位置が正面もしくはセンサーユニット４側での人体検知センサー７の感度を良くすることができる。
【００３４】
（実施例５）
図７は本発明の第５の実施例におけるトイレ装置の平面図である。実施例１〜４の構成と異なるところは、センサーユニット４を本体１の左右どちらの本体側面１６に取付可能としたところである。なお実施例１〜４と同一符号のものは同一構造を有し、説明は省略する。
【００３５】
図において、センサーユニット４は本体１の右側面１６ａ、左側面１６ｂのどちらへも取り付け可能で、センサーユニット４内の人体検知センサー７は、本体１の左右どちらの場合でも本体１内の制御回路８と電気的に接続可能になっている。
【００３６】
以上のように、本実施例においては、センサーユニット４を本体１の右側面１６ａ、左側面１６ｂのどちらにも取り付け可能としたことにより、トイレのドア位置に応じて人体検知センサー７の取り付け位置を変更でき、トイレのドア位置がどの方向でも人体検知センサー７により確実に使用者の検知を行える。
【００３７】
（実施例６）
図８は本発明の第６の実施例におけるトイレ装置の要部構造図である。実施例１〜５の構成と異なるところは、センサーユニット４内に部屋暖房装置１７を搭載したところである。なお実施例１〜５と同一符号のものは同一構造を有し、説明は省略する。
【００３８】
以上のように構成されたトイレ装置について、人体検知センサー７による使用者の有無の検知により、部屋暖房装置１７の能力を変えることができる。従って、人がいないときは暖房運転を停止したり、温度を下げるなどにより、部屋暖房の快適性の向上と省エネ性を実現することができる。
【００３９】
（実施例７）
図９は本発明の第７の実施例におけるトイレ装置の要部構造図である。実施例１〜６の構成と異なるところは、人体検知センサー７を保護するフィルター１８に人体検知センサー７を固定するようにしたところである。なお実施例１〜６と同一符号のものは同一構造を有し、説明は省略する。
【００４０】
図において、センサーユニット４内の人体検知センサー７は、フィルター１８にビス１９で固定され、人体検知センサー７の発光部１１ａ、受光部１１ｂとフィルター１８との距離が常に一定に保たれるようになっている。
【００４１】
以上のように、本実施例においては、人体検知センサー７を保護するフィルター１８に人体検知センサー７を固定するようにしたことにより、組立バラツキによる人体検知センサー７の傾き角度のズレ防止が可能となり、便蓋３誤検知による自動開閉機能の誤動作や使用者への検知感度の悪化を防止することができる。
【００４２】
【発明の効果】
以上のように、本発明によれば、人体検知センサーを設けるのに際して、便蓋の意匠性を損なうことのないトイレ装置を提供することができる。
【図面の簡単な説明】
【図１】本発明の実施例１におけるトイレ装置の斜視図
【図２】本発明の実施例１におけるトイレ装置の便蓋を閉じた状態の斜視図
【図３】本発明の実施例２におけるトイレ装置の人体検知センサーの正面図
【図４】本発明の実施例２におけるトイレ装置と人体検知センサーの赤外線を示す平面図
【図５】本発明の実施例３におけるトイレ装置の斜視図
【図６】本発明の実施例４におけるトイレ装置の斜視図
【図７】本発明の実施例５におけるトイレ装置の平面図
【図８】本発明の実施例６におけるトイレ装置の要部構造図
【図９】本発明の実施例８におけるトイレ装置の要部構造図
【図１０】従来のトイレ装置の全体斜視図
【符号の説明】
１　本体
２　便座
３　便蓋
４　センサーユニット
６　便器
７　人体検知センサー
１１ａ　発光部
１１ｂ　受光部
１６ａ　右側面
１６ｂ　左側面
１７　部屋暖房装置
１８　フィルター
【図１】
2004097441.tif 000003
【図２】
2004097441.tif 000004
【図３】
2004097441.tif 000005
【図４】
2004097441.tif 000006
【図５】
2004097441.tif 000007
【図６】
2004097441.tif 000008
【図７】
2004097441.tif 000009
【図８】
2004097441.tif 000010
【図９】
2004097441.tif 000011
【図１０】
2004097441.tif 000012